(57)【要約】【課題】  この発明の課題は、フラットベッド型とＡＤＦ型の両方の機構を備えたスキャナ装置において、ＡＤＦ機構を任意の位置および向きに設置して使用することができるようにすることで、使用者の利便性を向上させるとともに、装置の設置場所の自由度も確保し、さらに、フラットベッド部とＡＤＦ部の読み取りを同時にも行えるようにしたスキャナ装置を提供することにある。【解決手段】  ＡＤＦ機構とフラットベッド機構との接合部において、ＡＤＦ機構の位置および向きを固定的に接合せず、ＡＤＦ機構を自由に移動、回転可能な可動式結合機構を備えるように構成する。この可動式結合機構により、ＡＤＦ機構を使用者の利便性や装置の設置場所に合わせて、フラットベッド部の用紙押さえ板の左右両端または任意の位置に配置することができるようにし、また、ＡＤＦ機構のシューターの向きも任意の向きに変えられるようにする。【選択図】            図１
2005184334.tif 000002
【特許請求の範囲】
【請求項１】
フラットベッド機構とオートドキュメントフィーダー機構の両方の機能を備えたスキャナ装置において、
オートドキュメントフィーダー機構とフラットベッド機構の接合部に、オートドキュメントフィーダー機構の位置および向きを任意の位置および向きに変えられる可動式結合機構を備える、
ことを特徴とするスキャナ装置。
【請求項２】
フラットベッド機構とオートドキュメントフィーダー機構の両方の機能を備えたスキャナ装置において、
上部にオートドキュメントフィーダー機構を配置した場合に、フラットベッド機構の用紙押さえ板の開閉に支障を及ぼさない位置にオートドキュメントフィーダー機構支持台を備え、
前記可動式結合機構により、当該オートドキュメントフィーダー機構支持台上にオートドキュメントフィーダー機構を配置することで、フラットベッド機構での読み取りと、オートドキュメントフィーダー機構での読み取りを同時に行うことができる、
ことを特徴とする請求項１記載のスキャナ装置。
【請求項３】
フラットベッド機構とオートドキュメントフィーダー機構の両方の機能を備えたスキャナ装置において、
前記可動式結合機構として、フラットベッド機構に設けられたレールに従って移動可能なスライダーを備え、
当該スライダーとオートドキュメントフィーダー機構とを回転支柱により結合することで、オートドキュメントフィーダー機構をレールに従って移動、回転可能な構成とする、
ことを特徴とする請求項１または２記載のスキャナ装置。
【請求項４】
フラットベッド機構とオートドキュメントフィーダー機構の両方の機能を備えたスキャナ装置において、
前記可動式結合機構として、フラットベッド機構に設けられたレールにオートドキュメントフィーダー機構自体を、その向きを変えて嵌め込むことができる形状として、オートドキュメントフィーダー機構自体がレールに従って移動可能な構成とする、
ことを特徴とする請求項１または２記載のスキャナ装置。
【請求項５】
フラットベッド機構とオートドキュメントフィーダー機構の両方の機能を備えたスキャナ装置において、
前記可動式結合機構として、オートドキュメントフィーダー機構の底部に結合用突起を設け、フラットベッド機構の複数の位置に設けられた取り付け穴のいずれかに、この結合用突起を嵌め込むことで、オートドキュメントフィーダー機構の位置および向きを変えて配置できる構成とする、
ことを特徴とする請求項１または２記載のスキャナ装置。
【発明の詳細な説明】
【技術分野】
【０００１】
この発明は、フラットベッド型とオートドキュメントフィーダー（ＡＤＦ）型の両方の機構を備えたスキャナ装置に関し、ＡＤＦ機構とフラットベッド機構を分離して、ＡＤＦ機構を任意の位置および向きに設置して使用することができる機構を備えることで、装置の設置の自由度を上げ、左右のどちらの利き手の人にとっても利用しやすく、また、フラットベッド部とＡＤＦ部での読み取りを同時に行うこともできるスキャナ装置を実現するものである。
【背景技術】
【０００２】
スキャナ装置には、図９（ａ）に示すように、本や雑誌などの読み取りに適したフラットベッド型のものと、図９（ｂ）に示すように、所定のサイズのシート状の用紙を連続的に読み取ることができるＡＤＦ型のものとの２種類のものがある。
【０００３】
ＡＤＦ型のものは、所定のサイズのシート状の原稿を連続的に自動給紙して、読み取り処理を行うことができ便利であるが、本や雑誌などのような厚みのある原稿を読み取ることができない。
【０００４】
他方、フラットベッド型のものは、本や雑誌などの厚みのある原稿も読み取ることができるが、原稿の装置へのセットを使用者が自ら行わなければならず、連続読み取りができない。
【０００５】
このように、読み取りの対象により、向き、不向きがあるため、装置使用者にとっては、両方の機能を備えたスキャナ装置が望ましい。
【０００６】
そこで、従来から図１０に示すように、フラットベッド型とＡＤＦ型の両方の機構を備えたスキャナ装置が考案されている（例えば、特許文献１を参照）。
【０００７】
このようなフラットベッド型とＡＤＦ型の両方の機能を備えたスキャナ装置では、装置設置時の専有面積を少なくするなどの理由から、フラットベッド部の用紙押さえ板の上部にＡＤＦ機構を乗せた形としており、ＡＤＦ機構は、用紙のセットの利便性から右利きの人に使用しやすいようシューターの向きが決められ固定されている。
【０００８】
このようにＡＤＦ機構のシューターの位置や向きが決められることにより、利き手の違いにより利便性が損なわれる場合や、装置自体の設置場所の自由度が低下するという問題があった。
【０００９】
また、従来のフラットベッド型とＡＤＦ型の両方の機能を備えたスキャナ装置では、フラットベッド機構の用紙押さえ板上部にＡＤＦ機構を結合させているため、フラットベッド部で読み取りを行う場合には、ＡＤＦ部での読み取りが行えず、ＡＤＦ部での読み取りを行う場合には、フラットベッド部での読み取りが行えないものであり、両方の読み取りを連携することができないものとなっていた。
【００１０】
【特許文献１】特開平２０００−２９５３９１号公報
【発明の開示】
【発明が解決しようとする課題】
【００１１】
前記のごとく、従来の技術では次のような問題点がある。
【００１２】
原稿画像を光学的に読み取ってイメージデータとして格納するスキャナ装置には、本や雑誌などの厚みのある原稿を読み取ることができるフラットベッド型のものと、所定のサイズのシート状の原稿を連続的に読み取ることができるＡＤＦ型のものとがある。
【００１３】
読み取り対象の原稿の種類によって、向き、不向きがあるため、装置使用者としては両方の機能をもったスキャナ装置が望ましい。
【００１４】
このような利用者の利便性から、フラットベッド型とＡＤＦ型の両方の機構を備えたスキャナ装置が考案されている。
【００１５】
従来のフラットベッド型とＡＤＦ型の両方の機構を備えたスキャナ装置では、装置設置時の専有面積を小さくするなどの理由から、フラットベッド機構の上部にＡＤＦ機構を重ねた構造を採用していたが、ＡＤＦ機構のシューターへの原稿用紙のセットの利便性を考慮し、多数派である右利きの人に使用しやすい位置および向きにＡＤＦ機構が固定されており、左利きの人には使用しにくい場合があり、また、装置の設置場所の自由度を狭めることともなっていた。
【００１６】
また、フラットベッド機構とＡＤＦ機構の両方を備えていながら、ＡＤＦ機構がフラットベッド機構の用紙押さえ板の上部に結合されていることから、フラットベッド部での読み取りとＡＤＦ部での読み取りを同時に行うことができず、フラットベッド部での読み取りとＡＤＦ部での読み取りを連携して行うことができないという問題もあった。
【００１７】
この発明の課題は、フラットベッド型とＡＤＦ型の両方の機構を備えたスキャナ装置において、ＡＤＦ機構を任意の位置および向きに設置して使用することができるようにすることで、使用者の利便性を向上させるとともに、装置の設置場所の自由度も確保し、さらに、フラットベッド部とＡＤＦ部の読み取りを同時にも行えるようにしたスキャナ装置を提供することにある。
【課題を解決するための手段】
【００１８】
前記の問題点を解決するために、この発明では次に示す手段を取った。
【００１９】
ＡＤＦ機構とフラットベッド機構との接合部において、ＡＤＦ機構の位置および向きを固定的に接合せず、ＡＤＦ機構を自由に移動、回転可能な可動式結合機構を備えるように構成する。
【００２０】
この可動式結合機構により、ＡＤＦ機構を利用者の利便性や装置の設置場所に合わせて、フラットベッド部の用紙押さえ板の左右両端または任意の位置に配置することができるようにし、また、ＡＤＦ機構のシューターの向きも任意の向きに変えられるようにする。
【００２１】
さらに、ＡＤＦ機構をフラットベッド部の用紙押さえ板に重ならないような位置に配置することができるようにし、ＡＤＦ機構による読み取りと、フラットベッド部による読み取りを同時に行えるようにすることで、フラットベッド部での読み取りとＡＤＦ部での読み取りを連携させることも可能にする。
【発明の効果】
【００２２】
この発明により、以下に示すような効果が期待できる。
【００２３】
シート状の原稿を連続的に読み取るためのＡＤＦ機構と、本などの厚みのある原稿を読み取るためのフラットベッド機構の両方の機能を備えたスキャナ装置が考案されているが、通常は装置設置時の専有面積をできるだけ少なくするため、ＡＤＦ機構をフラットベッド機構の用紙押さえ板の上に配置している。
【００２４】
このとき、ＡＤＦ機構の配置は、ＡＤＦのシューターへの用紙のセットの利便性から、多数派である右利きの人にとって用紙セットがしやすいように、その位置および向きを固定して決められており、左利きの人にとっては使用しにくいものとなっており、また、装置の設置場所の自由度を狭める結果となっている。
【００２５】
また、フラットベッド機構とＡＤＦ機構の両方の機能を備えていながら、フラットベッド機構の用紙押さえ板の上にＡＤＦ機構が固定されているため、ＡＤＦによる読み取り中にフラットベッド部での読み取りを行うことができないという問題があった。
【００２６】
本発明を利用することで、ＡＤＦ機構を使用者の利き手や、設置場所に合わせて任意の位置および向きに配置することができるようになり、また、ＡＤＦ機構をフラットベッド機構での読み取りに支障を及ぼさない位置に配置することで、ＡＤＦ機構での読み取りとフラットベッド機構での読み取りを同時に行い、両読み取り機能を連携させることもできるようになる。
【発明を実施するための最良の形態】
【００２７】
この発明は、次に示す実施の形態を取った。
【００２８】
ＡＤＦ機構とフラットベッド機構との接合部において、ＡＤＦ機構のフラットベッド機構に対する位置および向きを自由に決めることができる、可動式結合機構を備える構成とする。
【００２９】
これにより、ＡＤＦ機構をフラットベッド機構に対し任意の位置および向きに配置することができるようになり、利き手の違いや装置設置場所を考慮して最適な位置に配置することができるようになる。
【００３０】
上部にＡＤＦ機構を乗せることで、ＡＤＦ機構がフラットベッド機構の用紙押さえ板の開閉に支障を及ぼさない位置にＡＤＦ機構支持台を備え、上記可動式結合機構により、ＡＤＦ機構を当該ＡＤＦ機構支持台上に配置することができるようにし、ＡＤＦ機構をフラットベッド機構の用紙押さえ板の開閉に支障を及ぼさない構成とすることができるようにする。
【００３１】
これにより、ＡＤＦ機構によるイメージ読み取り処理とフラットベッド機構によるイメージ読み取り処理を同時に行うことができ、両機構によるイメージ読み取りを連携させることもできるようになる。
【実施例】
【００３２】
この発明による代表的な実施例を説明する。なお、以下において、同じ箇所は同一の符号を付してあり、詳細な説明を省略することがある。
【００３３】
フラットベッド型とＡＤＦ型の両機能を備えたスキャナ装置において、ＡＤＦ機構をフラットベッド機構に対してどのような配置で構成するかという問題がある。
【００３４】
ＡＤＦ機構には読み取り対象の原稿をセットしておくシューターと呼ばれる部材があり、このシューターの位置や向きにより、用紙のセットのしやすさに大きく影響する。
【００３５】
例えば、図２（ａ）に示すように、フラットベッド機構２に対し、ＡＤＦ機構１を装置前面に向かって左端に配置し、シューター７の向きを装置前面に向かって右向きに構成すると、多数派である右利きの人にとっては、シューター７への用紙のセットがしやすい構成となる。
【００３６】
これに対し、図２（ｂ）に示すように、フラットベッド機構２に対し、ＡＤＦ機構１を装置前面に向かって右端に配置し、シューター７の向きを装置前面に向かって左向きに構成すると、左利きの人にとって、シューター７への用紙のセットがしやすい構成となる。
【００３７】
また、ＡＤＦ機構には読み取った原稿を排出し、積載しておくスタッカーと呼ばれる部材があり、これが図２に示すように、装置の端部にＡＤＦ機構を配置した場合、スタッカーの分だけ装置設置面積が余計に必要となる。
【００３８】
そのため、装置の設置場所が狭いなど、制限がある場合には、図３に示すように、フラットベッド機構２に対し、ＡＤＦ機構１を中央部に配置することで装置設置面積を最小にすることができる。
【００３９】
このように、装置の使用者の利き手や装置の設置場所により、ＡＤＦ機構をフラットベッド機構に対しどのように配置すればベストであるかが変わってくることとなる。
【００４０】
そこで、本装置のＡＤＦ機構は、図１に示すように、フラットベッド機構２との接合部に、フラットベッド機構２の用紙押さえ板３に設けられたレール４に従って、左右に移動可能なスライダー５を有しており、さらに、ＡＤＦ機構１本体とスライダー５とは回転支柱６により結合されているため、ＡＤＦ機構１本体をスライダー５上で回転することができるようになっている。
【００４１】
これにより、図４（ａ）に示すように、右利きの人がシューターに用紙をセットしやすいようにシューターの向きを装置前面に向かって右側に配置し、フラットベッド機構２の左端上に構成していたＡＤＦ機構１を、装置の設置場所が狭いなどの制限がある場合に、ＡＤＦ機構１と結合されたスライダー５をレール４に従って移動させ、ＡＤＦ機構１を装置の中央部に配置することで、シューター７やスタッカー８を装置幅内に納めることで装置の専有面積を最小にすることができるようにしている。
【００４２】
また、図４（ｂ）に示すように、左利きの人が使用する場合には、スライダー５上でＡＤＦ機構１を１８０度回転させることで、シューター７を装置前面に向かって左側に配置し、シューターへの用紙のセットがしやすいように構成することができるようにしている。
【００４３】
図５に示すように、フラットベッド機構２の用紙押さえ板３の横にＡＤＦ機構を乗せることができるＡＤＦ機構支持台９を設け、図５（ｂ）に示すように、用紙押さえ板３上に配置していたＡＤＦ機構１をＡＤＦ機構支持台９上にＡＤＦ機構をスライドして乗せられるように構成してもよい。
【００４４】
これにより、図６（ａ）に示すように、ＡＤＦ機構１をＡＤＦ機構支持台９上に配置することで、図６（ｂ）に示すように、フラットベッド機構２の用紙押さえ板３の開閉に支障を及ぼさないようにすることができるため、ＡＤＦ機構での読み取りと、フラットベッド機構での読み取りを同時に行うことができるようになる。
【００４５】
このように、フラットベッド部での読み取りとＡＤＦ部での読み取りを同時に行うことで、例えば、ＡＤＦ部で連続的に読み取っている原稿の一部にフラットベッド部で読み取ったイメージを組み込むなど、連携したイメージ読み取りを行うことができるようになる。
【００４６】
なお、ＡＤＦ機構とフラットベッド機構とを結合する可動式結合機構として、上記のスライダーを用いた構成とする方法以外にも、図７に示すように、ＡＤＦ機構１の底部にフラットベッド機構と結合するための結合用突起１０を設け、用紙押さえ板３に設けた取り付け穴１１に、この結合用突起１０をはめ込むことで、位置や向きを変えてフラットベッド機構２と結合する方法や、図８に示すように、ＡＤＦ機構１自体が用紙押さえ板３上に設けられたレール４に従って左右に移動したり向きを変えたりできるように構成してもよい。
【図面の簡単な説明】
【００４７】
【図１】本発明の全体構成図である。
【図２】シューターの位置および向きの説明図である。
【図３】ＡＤＦ機構を装置中央部に配置した場合の説明図である。
【図４】ＡＤＦ機構の可動式結合部による構成の自由度の説明図である。
【図５】ＡＤＦ機構支持台を設けた場合の説明図１である。
【図６】ＡＤＦ機構支持台を設けた場合の説明図２である。
【図７】はめ込み式の結合部の場合の説明図である。
【図８】ＡＤＦ機構自体がレールに従ってスライドする場合の説明図である。
【図９】従来のフラットベッド型とＡＤＦ型のスキャナ装置の説明図である。
【図１０】従来のフラットベッド型とＡＤＦ型の両機能を備えたスキャナ装置の説明図である。
【符号の説明】
【００４８】
１：ＡＤＦ機構
２：フラットベッド機構
３：用紙押さえ板
４：レール
５：スライダー
６：回転支柱
７：シューター
８：スタッカー
９：ＡＤＦ機構支持台
１０：結合用突起
１１：取り付け穴
【図１】
2005184334.tif 000003
【図２】
2005184334.tif 000004
【図３】
2005184334.tif 000005
【図４】
2005184334.tif 000006
【図５】
2005184334.tif 000007
【図６】
2005184334.tif 000008
【図７】
2005184334.tif 000009
【図８】
2005184334.tif 000010
【図９】
2005184334.tif 000011
【図１０】
2005184334.tif 000012